(57)【要約】  フロントパネルと、第１の折り線に沿ってフロントパネルに折り曲げ可能に接続されている第１のサイドパネルと、第２の折り線に沿って少なくとも第１のサイドパネルに折り曲げ可能に接続されているバックパネルと、フロントパネル及びバックパネルのうちの少なくとも一方に折り曲げ可能に接続されている第２のサイドパネルとを含むカートンを備える、強化パッケージ。袋が、カートンに少なくとも部分的に付着される。袋の内部空間に物体を収納するために、アクセス機能部を選択的に開放することができる。アクセス機能部は、カートン及び袋の少なくとも一部に延在する。カートンは、袋の内部空間が少なくとも部分的に潰される非起立位置と、袋の内部空間が増大する起立位置とに位置決め可能とすることができる。第１のサイドパネル及び第２のサイドパネルは、カートンを起立位置に保持する保持機能部を有する。【選択図】図１
2021521064.tif 000002
【特許請求の範囲】
【請求項１】
強化パッケージであって、
カートンであって、該カートンの内部の周囲に少なくとも部分的に延在する複数のパネルを有し、該複数のパネルは、フロントパネルと、第１の折り線に沿って前記フロントパネルに折り曲げ可能に接続されている第１のサイドパネルと、第２の折り線に沿って少なくとも前記第１のサイドパネルに折り曲げ可能に接続されているバックパネルと、前記フロントパネル及び前記バックパネルのうちの少なくとも一方に折り曲げ可能に接続されている第２のサイドパネルとを含む、カートンと、
少なくとも部分的に前記カートンの前記内部において前記カートンに少なくとも部分的に付着され、内部空間を有する袋と、
前記袋の前記内部空間に物体を収納するために選択的に開放されるようになっており、前記カートンの少なくとも一部及び前記袋の少なくとも一部に延在するアクセス機能部と、
を備え、
前記カートンは、前記袋の前記内部空間が少なくとも部分的に潰される非起立位置と、前記袋の前記内部空間が増大する起立位置とに位置決め可能であり、前記カートンは、前記袋を前記起立位置に支持するように構成され、前記第１のサイドパネル及び前記第２のサイドパネルは、前記カートンを少なくとも部分的に前記起立位置に保持する保持機能部を有する、強化パッケージ。
【請求項２】
前記アクセス機能部は、少なくとも前記フロントパネルに延在するアクセスパネルを含み、該アクセスパネルは、前記カートンにおけるアクセス開口を形成するように、前記フロントパネルから少なくとも部分的に除去可能である、請求項１に記載の強化パッケージ。
【請求項３】
前記アクセスパネルは、前記フロントパネルから弱化線に沿って少なくとも部分的に分離可能である、請求項２に記載の強化パッケージ。
【請求項４】
前記アクセスパネルは、前記フロントパネルの外面に形成された第１のスコア線、及び前記フロントパネルの内面に形成された第２のスコア線に沿って、前記フロントパネルから少なくとも部分的に分離可能であり、前記アクセスパネルが前記フロントパネルから少なくとも部分的に除去される際、該アクセスパネルは、前記第１のスコア線と前記第２のスコア線との間における前記フロントパネルから材料の外側部分を少なくとも部分的に除去して前記アクセス開口に沿って延在するリムを形成するようにされている、請求項２に記載の強化パッケージ。
【請求項５】
前記アクセス機能部は、前記フロントパネル及び前記アクセスパネルのうちの少なくとも一方から引き裂き線に沿って少なくとも部分的に分離可能であるアクセスフラップを更に含み、前記第１のスコア線及び前記第２のスコア線は、前記引き裂き線と交差している、請求項４に記載の強化パッケージ。
【請求項６】
前記アクセス機能部は、前記アクセスパネルの前記フロントパネルからの除去を開始するための、前記フロントパネル及び前記アクセスパネルのうちの少なくとも一方から少なくとも部分的に分離可能であるアクセスフラップを更に含む、請求項２に記載の強化パッケージ。
【請求項７】
前記アクセス機能部は、前記袋に延在するアクセス孔を更に含み、該アクセス孔は、前記アクセスパネルと少なくとも部分的に整合している、請求項２に記載の強化パッケージ。
【請求項８】
前記袋は、前記カートンの前記フロントパネル及び前記バックパネルに付着され、前記袋は、前記アクセスパネルと前記第１のサイドパネルとの間及び前記アクセスパネルと前記第２のサイドパネルとの間で、少なくとも前記アクセスパネルの上下に延在する場所において、前記フロントパネルに付着される、請求項７に記載の強化パッケージ。
【請求項９】
前記カートンに延在する持ち手を更に有する、請求項１に記載の強化パッケージ。
【請求項１０】
前記持ち手は、前記第１のサイドパネルにおける持ち手開口に隣接して、前記第１のサイドパネルに折り曲げ可能に接続されているコンフォートフラップを有する、請求項９に記載の強化パッケージ。
【請求項１１】
前記持ち手は、前記第１のサイドパネルに延在する第１の持ち手であり、前記強化パッケージは、前記第２のサイドパネルに延在する第２の持ち手を更に有する、請求項９に記載の強化パッケージ。
【請求項１２】
前記第１のサイドパネルは、第１の上側部分を有し、前記第２のサイドパネルは、第２の上側部分を有し、前記第１の上側部分及び前記第２の上側部分は、前記カートンの前記内部における前記袋の開放頂部を越えて上方に延在し、前記第１の持ち手及び前記第２の持ち手は、前記袋の前記開放頂部の上方の、それぞれの前記第１の上側部分及び前記第２の上側部分に延在する、請求項１１に記載の強化パッケージ。
【請求項１３】
前記フロントパネルは、第１の上縁部を有し、前記バックパネルは、第２の上縁部を有し、前記第１のサイドパネルの前記第１の上側部分及び前記第２のサイドパネルの前記第２の上側部分は、前記第１の上縁部及び前記第２の上縁部より上方に延在する、請求項１２に記載の強化パッケージ。
【請求項１４】
前記持ち手は、前記第１のサイドパネルの上側部分に延在し、該上側部分は、前記カートンの前記内部から離れるように前記フロントパネル及び前記バックパネルの上縁部から延在する、請求項９に記載の強化パッケージ。
【請求項１５】
前記持ち手は、前記袋の開放頂部から上方に離隔している、請求項９に記載の強化パッケージ。
【請求項１６】
前記第１のサイドパネルは、横折り線に沿って第２のパネル部分に折り曲げ可能に接続されている第１のパネル部分を有し、前記持ち手は、前記第１のサイドパネルの前記第１のパネル部分及び前記第２のパネル部分のそれぞれに延在する、請求項９に記載の強化パッケージ。
【請求項１７】
前記保持機能部は、少なくとも、前記第１の折り線から延在するとともに、前記第１のサイドパネルに延在するＶ字形折り線を含み、該Ｖ字形折り線は、前記第１の折り線から離隔した頂点を有する、請求項１に記載の強化パッケージ。
【請求項１８】
前記第１の折り線は、弧状であり、前記第１のサイドパネルに対して凹状である、請求項１７に記載の強化パッケージ。
【請求項１９】
前記保持機能部は、少なくとも、前記第１の折り線から延在する第１のＶ字形折り線と、前記第２の折り線から延在する第２のＶ字形折り線とを含み、前記第１のＶ字形折り線及び前記第２のＶ字形折り線のそれぞれは、前記第１のサイドパネルに延在する、請求項１に記載の強化パッケージ。
【請求項２０】
前記第１の折り線及び前記第２の折り線のそれぞれは、弧状であり、前記第１のサイドパネルに対して凹状である、請求項１９に記載の強化パッケージ。
【請求項２１】
前記保持機能部は、前記第１のサイドパネルにおいて前記第１のＶ字形折り線の第１の頂点から前記第２のＶ字形折り線の第２の頂点まで延在する縦折り線を更に含み、前記第１のサイドパネルは、横折り線に沿って第２のパネル部分に折り曲げ可能に接続されている第１のパネル部分を有し、前記縦折り線は、前記横折り線と交差する、請求項１９に記載の強化パッケージ。
【請求項２２】
前記カートンの下縁部は、前記カートンを前記起立位置に支持するように、前記カートンの底部に沿って延在し、前記袋は、前記カートンの前記底部の近位に延在する閉鎖底部を有する、請求項１に記載の強化パッケージ。
【請求項２３】
前記カートンは、前記フロントパネルに折り曲げ可能に接続されている第１のボトム端部フラップと、前記バックパネルに折り曲げ可能に接続されている第２のボトム端部フラップとを更に有し、前記第１のボトム端部フラップ及び前記第２のボトム端部フラップは、互いに少なくとも部分的に重なり、前記カートンの底部を少なくとも部分的に形成する、請求項１に記載の強化パッケージ。
【請求項２４】
前記第１のボトム端部フラップ及び前記第２のボトム端部フラップのうちの少なくとも一方は、前記カートンが前記非起立位置にある場合、底部折り線に沿って少なくとも部分的に折り曲げられる、請求項２３に記載の強化パッケージ。
【請求項２５】
物体を保持するための強化パッケージを形成するカートンブランクと袋との組合せ体であって、
前記カートンブランクはカートンを形成するものであり、前記カートンブランクは、フロントパネルと、第１の折り線に沿って前記フロントパネルに折り曲げ可能に接続されている第１のサイドパネルと、第２の折り線に沿って少なくとも前記第１のサイドパネルに折り曲げ可能に接続されているバックパネルと、前記フロントパネル及び前記バックパネルのうちの少なくとも一方に折り曲げ可能に接続されている第２のサイドパネルとを含む複数のパネルを有し、
前記袋は、前記カートンブランクに少なくとも部分的に付着され、前記袋は、内部空間を有し、
前記カートンブランクの少なくとも一部及び前記袋の少なくとも一部にアクセス機能部が延在し、前記強化パッケージが前記カートンブランク及び前記袋から形成されると、前記袋の前記内部空間に物体を収納するために、該アクセス機能部が選択的に開放されるようにされており、
前記カートンブランクから形成される前記カートンは、前記袋の前記内部空間が少なくとも部分的に潰される非起立位置と、前記袋の前記内部空間が増大する起立位置とに位置決め可能であり、前記第１のサイドパネル及び前記第２のサイドパネルは、前記カートンブランクから形成された前記カートンを前記起立位置に少なくとも部分的に保持する保持機能部を有する、組合せ体。
【請求項２６】
前記アクセス機能部は、少なくとも前記フロントパネルに延在するアクセスパネルを含み、該アクセスパネルは、前記カートンブランクから形成される前記カートンにアクセス開口を形成するように、前記フロントパネルから少なくとも部分的に除去可能である、請求項２５に記載の組合せ体。
【請求項２７】
前記アクセスパネルは、前記フロントパネルから弱化線に沿って少なくとも部分的に分離可能である、請求項２６に記載の組合せ体。
【請求項２８】
前記アクセスパネルは、前記フロントパネルの外面に形成された第１のスコア線、及び前記フロントパネルの内面に形成された第２のスコア線に沿って、前記フロントパネルから少なくとも部分的に分離可能であり、前記アクセスパネルが前記フロントパネルから少なくとも部分的に除去される際、該アクセスパネルは、前記第１のスコア線と前記第２のスコア線との間における前記フロントパネルから材料の外側部分を少なくとも部分的に除去して前記アクセス開口に沿って延在するリムを形成するようにされている、請求項２６に記載の組合せ体。
【請求項２９】
前記アクセス機能部は、前記フロントパネル及び前記アクセスパネルのうちの少なくとも一方から引き裂き線に沿って少なくとも部分的に分離可能であるアクセスフラップを更に含み、前記第１のスコア線及び前記第２のスコア線は、前記引き裂き線と交差している、請求項２８に記載の組合せ体。
【請求項３０】
前記アクセス機能部は、前記アクセスパネルの前記フロントパネルからの除去を開始するための、前記フロントパネル及び前記アクセスパネルのうちの少なくとも一方から少なくとも部分的に分離可能であるアクセスフラップを更に含む、請求項２６に記載の組合せ体。
【請求項３１】
前記アクセス機能部は、前記袋に延在するアクセス孔を更に含み、該アクセス孔は、前記アクセスパネルと少なくとも部分的に整合している、請求項２６に記載の組合せ体。
【請求項３２】
前記袋は、前記カートンの前記フロントパネル及び前記バックパネルに付着され、前記袋は、前記アクセスパネルと前記第１のサイドパネルとの間及び前記アクセスパネルと前記第２のサイドパネルとの間で、少なくとも前記アクセスパネルの上下に延在する場所において、前記フロントパネルに付着される、請求項３１に記載の組合せ体。
【請求項３３】
前記カートンブランクに延在する持ち手を更に有する、請求項２５に記載の組合せ体。
【請求項３４】
前記持ち手は、前記第１のサイドパネルにおける持ち手開口に隣接して、前記第１のサイドパネルに折り曲げ可能に接続されているコンフォートフラップを有する、請求項３３に記載の組合せ体。
【請求項３５】
前記持ち手は、前記第１のサイドパネルに延在する第１の持ち手であり、前記カートンブランクは、前記第２のサイドパネルに延在する第２の持ち手を更に有する、請求項３３に記載の組合せ体。
【請求項３６】
前記第１のサイドパネルは、第１の上側部分を有し、前記第２のサイドパネルは、第２の上側部分を有し、前記第１の上側部分及び前記第２の上側部分は、前記袋の開放頂部から離れるように延在し、前記第１の持ち手及び前記第２の持ち手は、それぞれの前記第１の上側部分及び前記第２の上側部分に延在し、前記袋から離隔している、請求項３５に記載の組合せ体。
【請求項３７】
前記フロントパネルは、第１の上縁部を有し、前記バックパネルは、第２の上縁部を有し、前記第１のサイドパネルの前記第１の上側部分及び前記第２のサイドパネルの前記第２の上側部分は、前記フロントパネル及び前記バックパネルから離れるように前記第１の上縁部及び前記第２の上縁部から延在する、請求項３６に記載の組合せ体。
【請求項３８】
前記持ち手は、前記第１のサイドパネルの上側部分に延在し、前記強化パッケージが前記カートンブランク及び前記袋から形成されると、前記上側部分は、前記カートンの前記内部から離れるように前記フロントパネル及び前記バックパネルの上縁部から延在する、請求項３３に記載の組合せ体。
【請求項３９】
前記持ち手は、前記袋の開放頂部から離隔している、請求項３３に記載の組合せ体。
【請求項４０】
前記第１のサイドパネルは、横折り線に沿って第２のパネル部分に折り曲げ可能に接続されている第１のパネル部分を有し、前記持ち手は、前記第１のサイドパネルの前記第１のパネル部分及び前記第２のパネル部分のそれぞれに延在する、請求項３３に記載の組合せ体。
【請求項４１】
前記保持機能部は、前記第１の折り線から延在するとともに、前記第１のサイドパネルに延在する少なくともＶ字形折り線を含み、該Ｖ字形折り線は、前記第１の折り線から離隔した頂点を有する、請求項２５に記載の組合せ体。
【請求項４２】
前記第１の折り線は、弧状であり、前記第１のサイドパネルに対して凹状である、請求項４１に記載の組合せ体。
【請求項４３】
前記保持機能部は、少なくとも、前記第１の折り線から延在する第１のＶ字形折り線と、前記第２の折り線から延在する第２のＶ字形折り線とを含み、前記第１のＶ字形折り線及び前記第２のＶ字形折り線のそれぞれは、前記第１のサイドパネルに延在する、請求項２５に記載の組合せ体。
【請求項４４】
前記第１の折り線及び前記第２の折り線のそれぞれは、弧状であり、前記第１のサイドパネルに対して凹状である、請求項４３に記載の組合せ体。
【請求項４５】
前記保持機能部は、前記第１のサイドパネルにおいて前記第１のＶ字形折り線の第１の頂点から前記第２のＶ字形折り線の第２の頂点まで延在する縦折り線を更に含み、前記第１のサイドパネルは、横折り線に沿って第２のパネル部分に折り曲げ可能に接続されている第１のパネル部分を有し、前記縦折り線は、前記横折り線と交差する、請求項４３に記載の組合せ体。
【請求項４６】
前記カートンは、前記フロントパネルに折り曲げ可能に接続されている第１のボトム端部フラップと、前記バックパネルに折り曲げ可能に接続されている第２のボトム端部フラップとを更に有し、前記強化パッケージが前記カートンブランク及び前記袋から形成されると、前記第１のボトム端部フラップ及び前記第２のボトム端部フラップは、互いに少なくとも部分的に重なり、前記カートンブランクから形成された前記カートンの底部を少なくとも部分的に形成する、請求項２５に記載の組合せ体。
【請求項４７】
強化パッケージを形成する方法であって、該方法は、
袋に少なくとも部分的に付着されたカートンブランクを得ることであって、前記カートンブランクは、フロントパネルと、第１の折り線に沿って前記フロントパネルに折り曲げ可能に接続されている第１のサイドパネルと、第２の折り線に沿って少なくとも前記第１のサイドパネルに折り曲げ可能に接続されているバックパネルと、前記フロントパネル及び前記バックパネルのうちの少なくとも一方に折り曲げ可能に接続されている第２のサイドパネルとを含む複数のパネルを有し、前記袋は内部空間を有し、アクセス機能部が、前記カートンブランクの少なくとも一部及び前記袋の少なくとも一部に延在している、カートンブランクを得ることと、
前記複数のパネルを前記袋の周りに少なくとも部分的に折り曲げることにより、前記複数のパネルによって少なくとも部分的に画定されるカートンの内部を形成することと、
を含み、
前記カートンは、前記袋の前記内部空間が少なくとも部分的に潰される非起立位置と、前記袋の前記内部空間が増大する起立位置とに位置決め可能であり、前記カートンは、前記起立位置において前記袋を支持するように構成され、前記第１のサイドパネル及び前記第２のサイドパネルは、前記カートンを前記起立位置に少なくとも部分的に保持する保持機能部を有し、
前記アクセス機能部は、前記袋の前記内部空間に物体を収納するために選択的に開放されるようにされている、方法。
【請求項４８】
前記アクセス機能部は、少なくとも前記フロントパネルに延在するアクセスパネルを含み、前記方法は、前記アクセスパネルを前記フロントパネルから少なくとも部分的に除去し、前記カートンにおけるアクセス開口を形成することを更に含む、請求項４７に記載の方法。
【請求項４９】
前記アクセスパネルは、前記フロントパネルの外面に形成された第１のスコア線及び前記フロントパネルの内面に形成された第２のスコア線によって少なくとも部分的に画定され、前記アクセスパネルを前記少なくとも部分的に除去することは、前記第１のスコア線と前記第２のスコア線との間における前記フロントパネルから材料の外側部分を少なくとも部分的に除去し、前記アクセス開口に沿って延在するリムを形成することを含む、請求項４８に記載の方法。
【請求項５０】
前記アクセス機能部は、前記袋に延在するアクセス孔を更に含み、該アクセス孔は、前記アクセスパネルと少なくとも部分的に整合しており、前記袋は、前記カートンの前記フロントパネル及び前記バックパネルに付着され、前記袋は、前記アクセスパネルと前記第１のサイドパネルとの間及び前記アクセスパネルと前記第２のサイドパネルとの間で、少なくとも前記アクセスパネルの上下に延在する場所において前記フロントパネルに付着される、請求項４８に記載の方法。
【請求項５１】
前記カートンに延在する持ち手を更に有する、請求項４７に記載の方法。
【請求項５２】
前記持ち手は、前記第１のサイドパネルに延在する第１の持ち手であり、前記強化パッケージは、前記第２のサイドパネルに延在する第２の持ち手を更に有し、前記第１のサイドパネルは、第１の上側部分を有し、前記第２のサイドパネルは、第２の上側部分を有し、前記第１の上側部分及び前記第２の上側部分は、前記カートンの前記内部における前記袋の開放頂部を越えて上方に延在し、前記第１の持ち手及び前記第２の持ち手は、前記袋の前記開放頂部の上方の、それぞれの前記第１の上側部分及び前記第２の上側部分に延在する、請求項５１に記載の方法。
【請求項５３】
前記持ち手は、前記第１のサイドパネルの上側部分に延在し、該上側部分は、前記カートンの前記内部から離れるように前記フロントパネル及び前記バックパネルの上縁部から延在する、請求項５１に記載の方法。
【請求項５４】
前記カートンは、前記フロントパネルに折り曲げ可能に接続されている第１のボトム端部フラップと、前記バックパネルに折り曲げ可能に接続されている第２のボトム端部フラップとを更に有し、前記カートンの前記内部を形成することは、前記第１のボトム端部フラップと前記第２のボトム端部フラップとを少なくとも部分的に重ねることによって、前記カートンの底部を少なくとも部分的に形成することを更に含む、請求項４７に記載の方法。
【発明の詳細な説明】
【技術分野】
【０００１】
［関連出願の相互参照］
本願は、２０１８年４月９日付けで出願された米国仮特許出願第６２／６５４，７９６号の利益を主張する。
【０００２】
［参照による援用］
２０１８年４月９日付けで出願された米国仮特許出願第６２／６５４，７９６号、２０１７年６月２２日付けで出願された米国特許出願第１５／６３０，０６１号、２０１６年６月２４日付けで出願された米国仮特許出願第６２／３５４，２７０号、２０１６年７月２２日付けで出願された米国特許出願第１５／２１７，０２６号、２０１５年７月２３日付けで出願された米国仮特許出願第６２／２８２，０４９号、２０１４年９月２５日付けで出願された米国特許出願第１４／４９６，２５２号、２０１３年９月２５日付けで出願された米国仮特許出願第６１／９６０，７１２号、２０１６年７月１３日付けで出願された米国特許出願第１５／２０９，０１３号、及び２０１５年７月１４日付けで出願された米国仮特許出願第６２／２３１，７２３号は、それらの全体が本明細書に提示されているかのように、あらゆる目的で引用することにより本明細書の一部をなす。
【０００３】
本開示は、包括的には、物体を収納及び／又は保持する強化パッケージ及びパッケージを形成する方法に関する。より具体的には、本開示は、形成されたパッケージの形状を強化するとともに、パッケージが物体を収納することを可能にする機能部と、パッケージの形成を容易にするとともに、パッケージを開放状態に保つ機能部とを有する、カートン又はブランクに付着される袋又はライナーを備えるパッケージに関する。
【発明の概要】
【０００４】
概して、本開示の１つの態様は、包括的には、カートンを備え、カートンは、カートンの内部の周囲に少なくとも部分的に延在する複数のパネルを有する、強化パッケージに関する。複数のパネルは、フロントパネルと、第１の折り線に沿ってフロントパネルに折り曲げ可能に接続されている第１のサイドパネルと、第２の折り線に沿って少なくとも第１のサイドパネルに折り曲げ可能に接続されているバックパネルと、フロントパネル及びバックパネルのうちの少なくとも一方に折り曲げ可能に接続されている第２のサイドパネルとを含むことができる。袋は、少なくとも部分的にカートンの内部において、少なくとも部分的にカートンに付着されることができ、袋は、内部空間を有することができる。袋の内部空間に物体を収納するために、アクセス機能部を選択的に開放することができる。アクセス機能部は、カートンの少なくとも一部及び袋の少なくとも一部に延在することができる。カートンは、袋の内部空間が少なくとも部分的に潰される非起立位置と、袋の内部空間が増大する起立位置とに位置決め可能とすることができる。カートンは、起立位置において袋を支持するように構成することができる。第１のサイドパネル及び第２のサイドパネルは、カートンを少なくとも部分的に起立位置に保持する保持機能部を有することができる。
【０００５】
別の態様において、本開示は、包括的には、物体を保持するための強化パッケージを形成する、カートンブランクと袋との組合せ体に関する。カートンブランクは、カートンを形成することができるようにされている。カートンブランクは、フロントパネルと、第１の折り線に沿ってフロントパネルに折り曲げ可能に接続されている第１のサイドパネルと、第２の折り線に沿って少なくとも第１のサイドパネルに折り曲げ可能に接続されているバックパネルと、フロントパネル及びバックパネルのうちの少なくとも一方に折り曲げ可能に接続されている第２のサイドパネルとを含む複数のパネルを有することができる。袋は、カートンブランクに少なくとも部分的に付着されることができ、袋は、内部空間を有することができる。カートンブランク及び袋から強化パッケージが形成されると、袋の内部空間に物体を収納するために、アクセス機能部を選択的に開放することができ、アクセス機能部は、カートンブランクの少なくとも一部及び袋の少なくとも一部に延在することができる。カートンブランクから形成されるカートンは、袋の内部空間が少なくとも部分的に潰される非起立位置と、袋の内部空間が増大する起立位置とに位置決め可能とすることができる。第１のサイドパネル及び第２のサイドパネルは、カートンブランクから形成されたカートンを少なくとも部分的に起立位置に保持する保持機能部を有することができる。
【０００６】
別の態様において、本開示は、包括的には、強化パッケージを形成する方法に関する。本方法は、袋が少なくとも部分的に付着されているカートンブランクを得ることを含むことができる。カートンブランクは、フロントパネルと、第１の折り線に沿ってフロントパネルに折り曲げ可能に接続されている第１のサイドパネルと、第２の折り線に沿って少なくとも第１のサイドパネルに折り曲げ可能に接続されているバックパネルと、フロントパネル及びバックパネルのうちの少なくとも一方に折り曲げ可能に接続されている第２のサイドパネルとを含む複数のパネルを有することができる。袋は、内部空間を有することができる。アクセス機能部は、カートンブランクの少なくとも一部及び袋の少なくとも一部に延在することができる。本方法は、複数のパネルを袋の周りに少なくとも部分的に折り曲げることにより、複数のパネルによって少なくとも部分的に画定されるカートンの内部を形成することを更に含むことができる。カートンは、袋の内部空間が少なくとも部分的に潰される非起立位置と、袋の内部空間が増大する起立位置とに位置決め可能とすることができ、カートンは、起立位置において袋を支持するように構成することができる。第１のサイドパネル及び第２のサイドパネルは、カートンを起立位置に少なくとも部分的に保持する保持機能部を有することができる。アクセス機能部は、袋の内部空間に物体を収納するために選択的に開放することができる。
【０００７】
本開示の他の態様、特徴及び詳細は、図面と組み合わせた以下の例示的な実施形態の詳細な説明の参照によって、また添付の特許請求の範囲から、より完全に理解することができる。
【０００８】
当業者は、図面を参照して実施形態の以下の詳細な説明を読むことによって、上記の利点、並びに種々の更なる実施形態の他の利点及び利益を理解するであろう。個々に、また様々な組合せで与えられる上述の態様が本開示の範囲内にある。
【０００９】
慣例によれば、以下で説明する図面の種々の特徴は、必ずしも一定の縮尺比で描かれているとは限らない。図面における種々の特徴及び要素の寸法は、本開示の実施形態をより明確に示すために拡大又は縮小されている場合がある。
【図面の簡単な説明】
【００１０】
【図１】本開示の第１の例示的な一実施形態に係る、パッケージのカートンを形成するのに用いられるブランクの外面図である。
【図２】本開示の第１の例示的な実施形態に係る、パッケージの袋を形成するウェブの一部の平面図である。
【図３】本開示の第１の例示的な実施形態に係る、図１のブランクから形成されるカートンの内部に付着された、図２のウェブ部分から形成される袋を備える、潰された形態のパッケージを示す外面図である。
【図４】本開示の第１の例示的な実施形態に係る、図３のパッケージの起立形態における斜視図である。
【図５】本開示の第１の例示的な実施形態に係る、図３のパッケージの起立形態における斜視図である。
【図６】図４及び図５のパッケージの底面斜視図である。
【図７】本開示の第２の例示的な実施形態に係る、パッケージのカートンを形成するのに用いられるブランクの外面図である。
【図８】本開示の第２の例示的な実施形態に係る、図７のブランクから形成されるカートンの内部に付着された、図２のウェブ部分から形成される袋を備える、潰された形態のパッケージを示す外面図である。
【図９】本開示の第２の例示的な実施形態に係る、図８のパッケージの起立形態における斜視図である。
【図１０】本開示の第２の例示的な実施形態に係る、図８のパッケージの起立形態における斜視図である。
【図１１】図９及び図１０のパッケージの上面図である。
【図１２】図９及び図１０のパッケージの底面図である。
【図１３】本開示の第３の例示的な実施形態に係る、パッケージの起立形態における斜視図である。
【発明を実施するための形態】
【００１１】
対応する部分は、図面を通して対応する参照符号によって示されている。
【００１２】
本開示は、包括的には、排泄物（例えば、人間の排泄物）又は他の品目（items）等の物体を収納及び／又は保持する強化パッケージに関する。本開示に係るパッケージは、流体（例えば、液体）及び／又は任意の形状の固体物品を収容することができる。パッケージは、比較的剛性の材料（例えば、板紙）を含む強化用構築物に付着された、比較的可撓性の材料を含む袋、ライナー、又はラップ材を備えることができる。袋又はライナーは、概して、紙、プラスチック、又は他の原材料から作製することができ、強化用構築物に貼り付けることができる。１つの実施形態において、ライナーは、ポリエチレン材料又は他の任意の好適なヒートシール性材料を含む。強化用構築物は、可変幅を有することができ、袋の閉鎖端部の周りに又は閉鎖端部の上に、いくつかの実施形態では、そのような閉鎖端部を包囲して延在することができ、物体又は物品（article）若しくは一連の物品を内部に収納する際に袋に支持を与える。いくつかの実施形態において、強化用構築物は、袋とともに、使用しやすいように自立直立式の開放状態で袋を支持する形態へと折り曲げることができる。
【００１３】
図１は、本開示の１つの実施形態に係る、カートン５に付着された袋３を備える、全体として１で示される強化パッケージ（図３〜図６）を形成するブランク１０を示している。袋３は、開放した頂端部７（図４及び図５）と、閉鎖又はシールされた底端部９（図３及び図６）と、物体を収納及び／又は保持するための内部空間１７（図４及び図５）とを有する。１つの実施形態において、袋３は、袋の頂部７と底部９との間の部分に延在するシールされた側部１９（図４及び図５）を有する。いくつかの実施形態において、袋３の頂端部７は、シール又は閉鎖することができる。カートン５は、本明細書に更に記載されるように、パッケージ１の剛性を増大することによってパッケージ１を強化し、パッケージを図４〜図７の形成済み状態に係止する他の機能部を有する。カートン５は、パッケージ１を平坦形態で輸送し、パッケージ１を形成し、パッケージが袋３の内部空間１７に物体を収納することを可能にするように、パッケージ１を開放状態に保つのを容易にすることができる。さらに、カートン５は、パッケージ１を図４〜図６の直立位置に位置決めすることを可能にする支持機能部を有する。
【００１４】
図１に示されているように、ブランク１０は、横軸Ｌ１及び縦軸Ｌ２を有する。図示の実施形態では、ブランク１０は、第１の折り線３３において第１のサイドパネル２８に折り曲げ可能につながっているフロントパネル２１を有する。第１のサイドパネル２８は、横方向折り線２６において互いに折り曲げ可能につながっている２つの個別のパネル部分２８ａ、２８ｂを有する。第１のバックパネル２３は、第２の折り線３１において第１のサイドパネル２８に折り曲げ可能につながっている。第２のサイドパネル２９は、第３の折り線３５においてフロントパネル２１に折り曲げ可能につながっている。第２のサイドパネル２９は、横方向折り線２７において互いに折り曲げ可能につながっている２つの個別のパネル部分２９ａ、２９ｂを有する。貼付けフラップ又は第２のバックパネル２５は、第４の折り線３７において第２のサイドパネル２９に折り曲げ可能につながっている。本開示から逸脱することなく、フロントパネル２１、バックパネル２３、２５、及び／又はサイドパネル２８、２９のうちの任意のものを省いてもよく、又は、別様な配置、形状、位置、及び／又は構成としてもよい。また、ブランク１０は、カートン５の底部を少なくとも部分的に閉鎖する、１つ以上のボトムフラップ及び／又はパネルを有することができる。
【００１５】
１つの実施形態において、第１のサイドパネル２８のパネル部分２８ａ、２８ｂは、それぞれの折り線３１、３３に当接するそれぞれのＶ字形折り線３２ａ、３２ｂ間に延在する縦折り線５１を有する。図１に示されているように、縦折り線５１は、Ｖ字形折り線３２ａの頂点からＶ字形折り線３２ｂの頂点まで延在し、横折り線２６と交差する。図示の実施形態において、第２のサイドパネル２９のパネル部分２９ａ、２９ｂは、それぞれの折り線３７、３５に当接するそれぞれのＶ字形折り線３４ａ、３４ｂ間に延在する縦折り線５３を有する。図１に示されているように、縦折り線５３は、Ｖ字形折り線３４ａの頂点からＶ字形折り線３４ｂの頂点まで延在し、横折り線２７と交差する。図１に示されているように、折り線３１、３３は、弧状折り線とすることができ、第１のサイドパネル２８に対して凹状とすることができる。同様に、折り線３５、３７は、弧状とすることができ、第２のサイドパネル２９に対して凹状とすることができる。１つの実施形態において、折り線３１、３３、３５、３７のそれぞれは、曲線の折り目又は他の任意の好適な折り線（例えば、切れ目−折り目型の折り線）とすることができ、それぞれのＶ字形折り線３２ａ、３２ｂ、３４ｂ、３４ａのそれぞれの端部間に延在する弧状切れ目部分をそれぞれ有することができる。代替的に、弧状切れ目部分は、本開示から逸脱することなく、他の好適な特徴（例えば、弧状折り目及び／又は代替的な形状）とすることができる。
【００１６】
１つの実施形態において、折り線２６、２７、３１、３２ａ、３２ｂ、３３、３４ａ、３４ｂ、３５、３７、５１、及び５３は、カートン５の側部の剛性を増大させることによって、ブランクから形成されたパッケージ１を補強及び強化する、ブランクの補強用機能部を有する。例えば、１つの実施形態において、以下により詳細に記載されるように、補強用機能部は、パッケージを、図４〜図６に示されている起立形態又は拡張形態に保持するのに役立つことができる。本開示から逸脱することなく、折り線２６、２７、３１、３２ａ、３２ｂ、３３、３４ａ、３４ｂ、３５、３７、５１、５３、及びサイドパネル２８、２９のうちの任意のものを省いてもよく、及び／又は、別様な配置、形状、位置、及び／又は構成としてもよい。
【００１７】
１つの実施形態において、ブランク１０は、形成されたパッケージ１を表面上に直立位置で支持するのに役立ち得る下縁部５５を有し、袋の内部１７にアクセスするために袋３の開放した頂端部７にアクセス可能になっている。
【００１８】
図１に示されているように、ブランク１０は、少なくともフロントパネル２１に延在するアクセス機能部５７を有することができる。図示の実施形態では、アクセス機能部５７は、フロントパネル２１におけるスコア線（切り込み線）６１、６３によって少なくとも部分的に画定されるアクセスパネル５９を含むことができる。１つの実施形態において、スコア線６１は、フロントパネル２１の内面に形成された内側スコア線とすることができ（スコア線６１は、図１に仮想線で示されている）、スコア線６３は、スコア線６１の周りに少なくとも部分的に延在することができ、フロントパネル２１の外面に形成された外側スコア線とすることができる。例えば、スコア線６１は、フロントパネルの内面からフロントパネル内に延在する部分切れ目とすることができ、スコア線６３は、フロントパネルの外面からフロントパネル２１内に延在する部分切れ目とすることができる。したがって、アクセスパネル５９は、スコア線６１、６３によって形成される弱化領域においてフロントパネル２１から分離可能とすることができる。アクセスフラップ６５は、線６７（例えば、引き裂き線、切れ目線、折り線等）に沿って、フロントパネル２１及び／又はアクセスパネル５９から少なくとも部分的に分離可能とすることができる。アクセスパネル５９は、物体を収納するためにアクセス機能部５７を開放するように、スコア線６１、６３に沿ってフロントパネル２１から分離可能とすることができる。図１に示されているように、アクセス機能部５７は、概ね、長径が横方向Ｌ２に延在する楕円形状である。アクセス機能部５７は、本開示から逸脱することなく、省いてもよく、又は、別様な配置、形状、位置、及び／又は構成としてもよい。アクセスパネル５９は、スコア線６１、６３とは異なる特徴によって形成することができる。スコア線６１及び／又はスコア線６３は、別様な形状、配置、構成としてもよく、及び／又は省いてもよい。または、アクセスパネル５９は、本開示から逸脱することなく、別様な形状としてもよい。例えば、アクセスパネル５９は、任意の好適な弱化線（例えば、引き裂き線）に沿ってフロントパネル２１から分離可能とすることができる。
【００１９】
図示の実施形態では、ブランク１０は、サイドパネル２８、２９のそれぞれの上側拡張部又は上側部分７０、７２に延在する持ち手６９を有することができる。図１に示されているように、サイドパネル２８、２９の上側部分７０、７２は、フロントパネル２１及びバックパネル２３、２５の上縁部７４から上方に延在する。１つの実施形態において、上側部分７０、７２の縁部は、曲線とすることができ、折り線３１、３３、３５、３７のそれぞれの端部から延在することができる。持ち手６９のそれぞれは、持ち手開口７１と、それぞれの縦折り線７５に沿ってそれぞれのサイドパネル２８、２９に折り曲げ可能に接続されているコンフォートフラップ７３とを有することができる。図１に示されているように、持ち手６９の持ち手開口７１及びコンフォートフラップ７３は、サイドパネル２８、２９の上側部分７０、７２に位置し、そのため、持ち手は、フロントパネル２１及びバックパネル２３、２５の上縁部７４の上方に離隔している。持ち手６９は、本開示から逸脱することなく、省いてもよく、又は、別様な配置、形状、位置、及び／又は構成としてもよい。
【００２０】
１つの実施形態において、袋３（図３〜図５）は、２０１５年７月１４日に出願された米国仮特許出願第６２／２３１，７２３号、及び２０１６年７月１３日に出願された米国特許出願第１５／２０９，０１３号に示されている袋と同様の方法で形成されるとともに、同様の特徴を有することができる。上記特許文献は、引用することにより本明細書の一部をなす。袋３は、袋３のガセット付き底部９（図３及び図６）を形成する中央折り目８２と２つの外側折り目８４とを有する、図２に示されている好適な材料部分８０によって形成することができる。さらに、袋の材料部分８０は、部分８０の長さに沿って延在する２つの縁余白部８６を有することができる。図２に示されているように、縁余白部８６は、ガセットの拡張部分８７へと延在することができ、それにより、ガセット付き底部９の形成を容易にすることができる。袋３のガセット付き底部９が形成される場合、中央折り目８２及び２つの外側折り目８４は、袋の底部において重なった４つの材料層を形成し、カートン５がパッケージ１の起立位置に形成されると、袋の底部を拡張可能であり、様々なサイズの物体を袋内に収納及び／又は保持するように適合されている。袋の材料部分８０は、中央折り目８２及び外側折り目８４において折り曲げられ、縁余白部８６の重なり部分は、互いに封止される（例えば、ヒートシールするか又は別様にともに固定する）ことで、袋の底部９へと延在する封止された側部１９を形成することができ、それにより、袋３における重なった材料層の側部が封止される。袋３の平坦形態（図３）では、外側折り目８４は、袋の最下縁部を形成する。１つの実施形態において、袋３を形成する材料は、本開示から逸脱することなく、固体及び／又は液体を保持する可撓性のヒートシール可能な材料又は他の任意の好適な材料を含む、事前に印刷された紙、ポリエチレン、又は他の材料を含むことができる。
【００２１】
図２に示されているように、アクセス機能部５７は、ウェブ部分８０の正面セクションに延在するアクセス孔８８を含むことができる。１つの実施形態において、アクセス孔８８は、ブランク１０のフロントパネル２１におけるアクセスパネル５９の形状及びサイズに概ね対応する楕円形とすることができる。アクセス孔８８は、本開示から逸脱することなく、他の形状及び／又はサイズとしてもよく、又は別様な位置にあってもよい。例えば、孔８８は、引き裂き線（不図示）に沿ってウェブ部分８０の残りの部分から分離可能である簡単に剥がれるパネル（不図示）に置き換えることができ、この場合、この簡単に剥がれるパネルは、アクセスパネル５９に貼り付けることができ、引き裂き線に沿って（例えば、アクセスパネル５９が除去される際に）除去することで、孔８８を形成することができる。ウェブ部分８０及び／又は袋３は、本開示から逸脱することなく、別様な形状、配置、及び／又は構成としてもよい。さらに、袋３は、本開示から逸脱することなく、別様に形成することができる。
【００２２】
１つの実施形態において、強化パッケージ１は、引用することにより本明細書の一部をなす特許出願のうちの１つ以上に示されているのと同様のシステム及び方法によって形成することができる。ここでは、包装システムは、パッケージ１の袋３を形成する材料ウェブをブランク１０に貼り付け、ブランク及びウェブは、それぞれの包装システムを通って移動し、システムの様々な部分及び構成要素によって個々のパッケージへと形成される。ブランク１０は、強化カートン５へと形成され、材料ウェブは、袋３へと形成され、材料ウェブのそれぞれの部分８０は、袋を形成するように重なっている。強化パッケージ１は、袋３が付着された強化カートン５を含む。
【００２３】
１つの実施形態において、１つ以上のシステムは、袋３を形成し、袋３をそれぞれのブランク１０に貼り付けることができるか、又は、袋３は、ブランク１０に貼り付けた後に形成することができる。別個の個々のブランク１０及び貼り付けられる袋３は、システム内において、折曲げ／接着剤付けカートン形成アセンブリへと搬送される。折曲げ／接着剤付けカートン形成アセンブリは、物体の充填のために梱包され輸送することができる平坦カートン５を形成するように、ブランク１０の様々なフラップ及びパネルを位置決めする一連の折曲げ器を備える。図示の実施形態では、ウェブ部分８０から袋３が形成される前又は形成された後、正面セクションは、（例えば、図１に仮想線で示されているように、フロントパネル２１の内面の接着剤ストリップ又は接着剤領域Ｇ１において）ブランク１０のフロントパネル２１に貼り付けることができる。図示の実施形態では、アクセス孔８８は、アクセス機能部５７と位置合わせすることができ、そのため、アクセス孔８８に隣接する袋３の縁部は、アクセス機能部５７の内側スコア線６１に隣接して配置される。図１に示されているように、接着剤領域Ｇ１は、フロントパネル２１に設けることができ、それにより、袋３は、アクセス機能部５７の上下の場所、並びに、第１のサイドパネル２８とアクセス機能部５７との間、及び第２のサイドパネル２９とアクセス機能部５７との間の場所において、フロントパネル２１に貼り付けられる。したがって、袋３は、材料がアクセス機能部５７を介して袋３の内部１７に入る際に、孔８８において袋３とフロントパネル２１との間での材料の漏れを制限するように、フロントパネル２１に貼り付けることができる。代替的な一実施形態において、アクセスパネル５９及びアクセス孔８８の全周に沿って、又は周縁部の任意の好適な部分に沿って袋３を密封することができる。ブランク１０は、横折り線２６、２７に沿って折り曲げることができ、それにより、バックパネル２３及び貼付けフラップ２５は、袋３及びフロントパネル２１に少なくとも部分的に重なる。さらに、それぞれのサイドパネル２８、２９において、部分２８ａ、２９ａは、部分２８ｂ、２９ｂに重なることができる。１つの実施形態において、袋３は、バックパネル２３及び貼付けフラップ２５に（例えば、図１に仮想線で示されているように、それぞれのバックパネル２３及び貼付けフラップ２５の内面の接着剤ストリップ又は接着剤領域Ｇ２によって）接着剤により接着することができる。したがって、袋３は、カートン５のフロントパネル２１、バックパネル２３、及び貼付けフラップ２５に貼り付けることができる。図示の実施形態では、貼付けフラップ２５は、バックパネル２３に重なり、バックパネル２３に（例えば、図１に仮想線で示されているように、バックパネル２３の内面の接着剤領域Ｇ３における接着剤によって）接着することができる。パッケージ１は、本開示から逸脱することなく、別様に形成することができる。例えば、袋３は、本開示から逸脱することなく、ブランク１０に貼り付ける前に、ウェブ部分８０から事前に形成することができる。
【００２４】
パッケージ１は、平坦形態又は潰された形態（図３）で使用者（例えば、顧客）に輸送することができる。図示の実施形態では、パッケージ１は、サイドパネル２８、２９を把持し、折り線２６、２７において側部を内方に押すことによって、図３の潰された形態から、図４〜図６に示されている起立形態に位置決めすることができ、それにより、フロントパネル２１及びバックパネル２３が互いに分離するか又は互いに離れるように移動し、パッケージに三次元形状を与え、物体を収納及び／又は保持する袋３の内部空間１７を形成する。パッケージ１の起立形態では、下縁部５５は、カートン５の底部２０の最下部を形成し、そのため、パッケージ１を平坦面上に支持し、起立形態において直立に位置決めすることができ、それにより、袋３の頂部７を通して内部空間１７にアクセスすることが可能である（図４及び図５）。図４及び図５に示されているように、持ち手６９は、図３に示されている位置から折り目を広げることで、パッケージ１の頂部に延在し、それにより、使用者は、開口７１において持ち手６９を把持し、コンフォートフラップ７３を折り線７５に沿って内方に折り曲げることができる。１つの実施形態において、パッケージ１の使用及び／又は持ち運び中に、持ち手６９の一方又は双方を把持することができる。代替的に、本開示から逸脱することなく、持ち手６９が対面接触しパッケージ１の頂部が閉鎖されるように、サイドパネル２８、２９の上側部分７０、７２を内方に折り曲げることができる。
【００２５】
１つの例示的な実施形態において、袋３のシールされた底部９は、使用者が液体及び／又は固体の物体（例えば、尿、固形排泄物、嘔吐物等の人間の排泄物）を強化パッケージ１の袋の内部１７に付加することを可能にする水密シールとすることができる。図４及び図５に示されているように、袋３の開放頂部７は、サイドパネル２８、２９の上側部分７０、７２間、及びフロントパネル２１とバックパネル２３、２５との間で、フロントパネル２１及びバックパネル２３、２５の上縁部７４の上方に延在する。図示の実施形態では、サイドパネル２８、２９の上側部分７０、７２は、袋３の開放頂部７を上方に越え、カートン５の内部から離れるように延在することができる。さらに、図４及び図５に示されているように、袋３の上方の持ち手６９においてカートン５を把持することを容易にするように、持ち手６９を袋３の開放頂部７の上方の上側部分７０、７２に位置決めすることができる。図示の実施形態では、物体を、（例えば、起立形態にある間）強化パッケージ１の頂部において袋３の開放頂部７を通して収納することができる。代替的に又はさらに、アクセスフラップ６５を作用させて、アクセスパネル５９をスコア線６１、６３に沿って除去することによってアクセス機能部５７を開放し、フロントパネル２１におけるアクセス開口９１（図５）を形成することができる。１つの実施形態において、スコア線６１、６３は、弱化領域を少なくとも部分的に画定することができ、アクセスパネル５９が除去されると、スコア線６１、６３間のフロントパネル２１の外面が、スコア線６１、６３間のフロントパネル２１の内側部分から分離することができる。例えば、アクセスパネル５９がスコア線６１、６３に沿って引き破られる際、スコア線６３からスコア線６１までのフロントパネル２１の材料の外側部分をフロントパネル２１の内側部分から引き破り、開口に隣接するクレーコーティング、他のコーティング若しくはフィルム、及び／又は板紙基材の一部を除去することができる。したがって、フロントパネル２１の材料の外側部分をアクセスパネル５９とともに除去することで、アクセス開口９１に隣接するより柔らかい圧潰可能なリム９３を残すことができる。リム９３は、より柔らかい接触領域をもたらすとともに、使用中に使用者に接触し得る鋭い縁部の低減をもたらすことができる。
【００２６】
図５に示されているように、アクセス開口９１は、袋３の正面セクションにおいてアクセス孔８８と位置合わせされ、それにより、パッケージ１は、アクセス開口９１を通して袋３の内部１７に物体（例えば、排泄物）を収納することができる。アクセス機能部５７は、強化パッケージ１が潰された形態（例えば、図３）又は起立形態（例えば、図５）にあるときに開放することができる。１つの実施形態において、袋３の頂部７を、封止又は閉鎖することができ、それにより、パッケージ１は、アクセス機能部５７のみを通して物体を収納することができる。パッケージ１は、本開示から逸脱することなく、他のタイプの物体を保持するのに使用することができる。パッケージ１の平坦形態では、サイドパネル２８、２９を折り線２６、２７に沿って折り曲げることによってカートン５は平坦に折り畳まれる。
【００２７】
１つの実施形態において、サイドパネル２８における折り線５１、２６及びサイドパネル２９における折り線５３、２７は、形成されたパッケージ１の剛性を増大するのに役立つことができる。また、折り線２６、２７、３１、３３、３５、３７、５１、５３及びＶ字形折り線３２ａ、３２ｂ、３４ａ、３４ｂは、サイドパネル２８、２９が開放形状になり、開放状態を維持することを可能にするように構成することができる。換言すれば、第１のサイドパネル２８の折り線２６、３１、３３、５１及びＶ字形折り線３２ａ、３２ｂと、第２のサイドパネル２９の折り線２７、３５、３７及びＶ字形折り線３４ａ、３４ｂとは、パネル２８、２９を外方に押しカートン５を潰そうとする力に抵抗することにより、カートン５を拡張形態に保持するのに役立つ所定の形状に従って、サイドパネル２８、２９を変形させ、及び／又は内方に折り曲げるのに役立つことができる。図４〜図６に示されているように、サイドパネル２８、２９のそれぞれは、それぞれの縦折り線５１、５２並びにそれぞれのＶ字形折り線３２ａ、３２ｂ及び３４ａ、３４ｂから（例えば、カートン５の内部から離れるように）上方かつ外方に延在する上側部分を有することができる。したがって、サイドパネル２８、２９は、（例えば、少なくとも縦折り線５１、５２において）内方に曲がり、パッケージ１が一度形成されると起立形態に留まるように付勢するように、カートン５の構造を強化することができる。
【００２８】
図示の実施形態では、Ｖ字形折り線３２ａ、３２ｂ、３４ａ、３４ｂは、サイドパネル２８、２９の縁部においてそれぞれの弧状切れ目部分と位置合わせされる。切れ目部分及びＶ字形折り線３２ａ、３２ｂ、３４ｂ、３４ａは、サイドパネル２８、２９において張力を逃がすことを引き起こすことに役立つことができ、これは、パッケージに圧力が加わる場合に、パッケージ１を開放位置に位置決めするのを容易にし、パッケージ１の開放位置からのサイドパネル２８、２９の動きに抵抗する。図４及び図５に示されているように、パッケージ１が形成される場合、弧状切れ目部分は、サイドパネル２８、２９をフロントパネル２１及びバックパネル２３、２５に対して位置決めする際に、カートン５におけるスリット又は開口を形成することができる。パッケージ１、カートン５、ブランク１０、及び／又は袋３は、本開示から逸脱することなく、他の特徴を有してもよく、又は、別様な形状、配置、及び／又は構成としてもよい。
【００２９】
１つの実施形態において、強化パッケージ１は、（例えば、病院環境において）単回使用の尿瓶及び／又はベッドパン（差し込み便器）代替品として用いることができる。例えば、使用者（例えば、入院患者）は、（例えば、持ち手６９を把持しながら、又はパッケージ１が底部２０によって表面上に支持されている間に）袋３の開放頂部７を介して及び／又はアクセス機能部５７のアクセス開口９１を介して強化パッケージ１の内部１７に排尿及び／又は排便することができる。そして、強化パッケージ１は、排泄物を適切なレセプタクル内に廃棄することができるときまで排泄物を保持することができる。袋３は、空にされた後、袋３及びカートン５を適切なリサイクルの流れに置くことができるように、カートン５の内部から分離することができる。１つの実施形態において、袋３は、リサイクルの前に粉砕機（macerator）にかけることができる。代替的に、使用済みパッケージの１つ以上の部分を、粉砕して下水システムに流す、焼却する、ごみ処理埋立地に送る、又は別様に廃棄することができる。１つの例示的な実施形態に係る、潰すことができリサイクル可能な単回使用の強化パッケージ１は、複数回使用及び／又は成形された尿瓶及びベッドパンに優る数多くの利点を有し得る。例えば、複数回使用の尿瓶及びベッドパンは、（例えば、患者間で病原体を広げることで）病気を蔓延するおそれがあるが、単回使用の強化パッケージ１では１人の使用に限られる。さらに、強化パッケージ１を平坦に折り畳むことができるため、（例えば、使用前の）保管及び／又は移送に際して、単回使用又は複数回使用の成形された尿瓶及びベッドパンよりもはるかに小さな体積で積み重ねることができる。
【００３０】
図７は、本開示の第２の実施形態に係るカートン１０５に付着される袋３を備える強化パッケージ１０１（図８〜図１２）を形成するブランク１１０の平面図である。第２の実施形態は、言及される変形及び当業者には明らかとなる変形を除いて、第１の実施形態と概ね同様である。したがって、実施形態の同様又は同一の特徴には、類似又は同様の参照符号が付されている。図７に示されているように、バックパネル１２３は、フロントパネル２１のサイズ及び形状と同様であり、バックパネル１２３が貼付けフラップ１２５に重なる場合、カートン１０５における第４の折り線３７に隣接して延在する曲線の縁部１２４を有する。バックパネル１２３及び／又は貼付けフラップ１２５は、本開示から逸脱することなく、別様な配置、形状、位置、及び／又は構成としてもよい。
【００３１】
図７に示されているように、ブランク１１０は、縦折り線１４３においてフロントパネル２１に折り曲げ可能につながっている第１のボトム端部フラップ又はボトムパネル１４１と、縦折り線１４７においてバックパネル１２３に折り曲げ可能につながっている第２のボトム端部フラップ１４５とを有する。図示の実施形態では、第１のボトム端部フラップ１４１は、ボトム端部フラップ１４１の幅にわたって延在する縦折り線１４９（例えば、底部折り線）を有する。１つの実施形態において、サイドパネル２８、２９のそれぞれは、下縁部を有し、その下縁部に沿ってそれぞれの支持部又は拡張部１５５が延在する。図７に示されているように、フロントパネル２１及びバックパネル１２３のそれぞれは、それぞれの折り線１４３、１４７のそれぞれの端部間に延在する切れ目１７９によって画定される支持部又は拡張部１７７を有する。図９、図１０、及び図１２に示されているように、支持部１５５、１７７は、袋の内部１７にアクセスするために袋３の開放頂端部７にアクセス可能であるように、形成されたパッケージ１０１を表面上に直立位置で支持する、カートン１０５の底部１２０を形成する。本開示から逸脱することなく、ボトム端部フラップ１４１、１４５及び／又は支持部１５５、１７７のうちの任意のものを省いてもよく、又は、別様な配置、形状、位置、及び／又は構成としてもよい。
【００３２】
１つの実施形態において、袋３は、カートンブランク１１０に付着されことができ、第１の実施形態について上述したのと同様又は同一の方法で、カートンブランク１１０を折り曲げて、カートン１０５を形成することができる。例えば、アクセス孔８８がアクセスパネル５９と整合されるように（例えば、図１１に示されているように）、袋３をフロントパネル２１に取り付けることができる。カートンブランク１１０が折り線２６、２７に沿って折り曲げられ、バックパネル１２３及び貼付けフラップ１２５を重ねて接着剤付けする場合、バックパネル１２３及び／又は貼付けフラップ１２５は、袋３にも同様に接着剤付けすることができる。さらに、図８に示されているように、第１のボトム端部フラップ１４１を縦折り線１４９に沿って折り曲げて、第２のボトム端部フラップ１４５に重ねることができ、ボトム端部フラップ１４１、１４５をともに接着して、カートンの閉鎖底部１２０を形成することができる。
【００３３】
パッケージ１０１は、図８で示されているように平坦形態又は潰された形態で示されている。図示の実施形態では、パッケージ１０１は、サイドパネル２８、２９を把持し、折り線２６、２７において側部を内方に押すことによって、図８の潰された形態から、図９〜図１２に示されている起立形態に位置決めすることができ、それにより、フロントパネル２１及びバックパネル１２３が互いに分離するか又は互いに離れるように移動し、パッケージに三次元形状を与え、袋３の内部空間１７を形成する。フロントパネル２１及びバックパネル１２３が互いに離れるように移動する際に、ボトム端部フラップ１４１、１４５が、フロントパネル２１からバックパネル１２３までのカートン１０５の底部１２０にわたって延在するまで、第１のボトム端部フラップ１４１は、縦折り線１４９に沿って折り曲げることができる（図１２）。ボトム端部フラップ１４１、１４５が底部１２０にわたって延在するように折り曲げられる際に、ボトム端部フラップは、それぞれのフロントパネル２１及びバックパネル１２３からそれぞれの切れ目１７９に沿って少なくとも部分的に分離し、それぞれの支持部１７７を形成することができる。パッケージ１０１の起立形態では、支持部１５５、１７７は、底部１２０の最下部を形成し、袋３の頂部７を通して内部空間１７にアクセスすることができるように、パッケージ１０１を平坦面上に支持するとともに、起立形態に直立して位置決めすることができるようになっている（図９〜図１１）。
【００３４】
パッケージ１０１は、サイドパネル２８、２９を折り線２６、２７に沿って折り曲げるとともに、底部１２０を第１のボトム端部フラップ１４１の折り線１４９において折り曲げることで、図８の平坦位置又は潰された位置に再び折り畳むことができる。１つの実施形態において、折り線１４９は、カートンが起立位置から潰された位置に折り畳まれる際、カートン１０５の内部から外方に離れるように折り曲げることができる。
【００３５】
強化パッケージ１０１は、本開示から逸脱することなく、他の特徴を有してもよく、又は、別様な形状、配置、及び／又は構成としてもよい。
【００３６】
図１３は、本開示の第３の実施形態のブランク（不図示）から形成される強化パッケージ２０１の斜視図である。第３の実施形態は、言及される変形及び当業者には明らかとなる変形を除いて、先行の実施形態と概ね同様である。したがって、実施形態の同様又は同一の特徴には、類似又は同様の参照符号が付されている。図１３に示されているように、強化パッケージ２０１は、袋３及びカートン２０５を備え、カートン２０５は、カートン２０５では持ち手６９が省かれていることを除いて、先行の実施形態のカートン５、１０５と同様である。図１３に示されているように、袋３は、カートン２０５の頂部から上方に延在することができるため、使用者が袋３の側部を把持することができ、及び／又はカートン２０５の外側に下方に折り返すことができるようになっている。強化パッケージ２０１は、本開示から逸脱することなく、他の特徴を有してもよく、又は、別様な形状、配置、及び／又は構成としてもよい。
【００３７】
本開示の種々の実施形態の特徴のうちの任意のものは、本開示の範囲から逸脱することなく、組み合わせたり、置き換えたり、又は本開示の他の実施形態の他の特徴を有して別様に構成したりすることができる。
【００３８】
概して、本明細書に記載したように、ライナー又は袋は紙素材によって形成することができるが、種々のプラスチック材料又は他のライナー材料を用いることもでき、所望の材料でライニング又はコーティングすることもできる。本明細書に記載の構築物、ブランク、及び／又は強化用スリーブは、クレーコーティング天然クラフト（「ＣＣＮＫ」）等のより硬質の材料で作製することができる。本明細書に記載のパッケージの構成部材を形成するのに、種々の厚紙、普通紙、プラスチック、若しくは他の合成材料又は天然材料等の他の材料を用いることもできる。
【００３９】
概して、本開示のブランクは、通常の紙よりも重く硬質であるような厚さを有する厚紙で作成してもよい。ブランクは、ボール紙等の他の材料、又はカートンが少なくとも概して上述したように機能することができるようにするのに適した特性を有する任意の他の材料で作成することもできる。ブランクは、例えばクレーコーティングでコーティングすることができる。続いて、クレーコーティング上に物体、広告、及び他の情報又は画像を印刷してもよい。続いて、ブランクに印刷されている情報を保護するように、ブランクをワニスでコーティングすることができる。ブランクは、ブランクの片面又は両面を、例えば防湿層でコーティングすることもできる。ブランクは、選択されたパネル又はパネルセクションに１つ以上のシート状材料を積層又はコーティングすることもできる。
【００４０】
一例として、引き裂き線は、所望の弱化線に沿って材料に部分的に入れ込んだスリット、及び／又は所望の弱化線に沿って材料に部分的に入れ込むか、及び／又は完全に貫通する一連の離間したスリット、又はこれらの機能部の種々の組合せを含むことができる。より具体的な例としては、１つのタイプの引き裂き線は、引き裂き線を挟んで材料を通常は一時的に連結するようニック（例えば、ややブリッジ状の材料の小片）が間に画成されるように隣接するスリットを僅かに離間させた、材料を完全に貫通する一連の離間したスリットの形態である。ニックは、引き裂き時に引き裂き線に沿って破断される。ニックは通常、引き裂き線において比較的僅かな割合を占めるものであり、代替的に、引き裂き線が連続した切れ目線であるように、ニックを引き裂き線から省くことができるか、又は引き裂き線上で破っておくことができる。すなわち、引き裂き線のそれぞれを連続したスリット等で置き換えることは、本開示の範囲内にある。例えば、本開示から逸脱することなく、切れ目線は、連続したスリットとすることができるか、又はスリットよりも幅広とすることができる。
【００４１】
例示的な実施形態によれば、折り線は、それに沿った折り曲げを容易にする、必ずしも直線状ではないが実質的に線状の任意の弱化形態とすることができる。本開示の範囲を狭めるためではないが、より詳細には、折り線は、所望の弱化線に沿って材料に圧潰部分すなわち凹部分を作る鈍いスコアリングナイフ等で形成される線等のスコア線、所望の弱化線に沿って材料に部分的に入れ込んだ切れ目、及び／又は所望の弱化線に沿って材料を部分的に貫通する一連の切れ目及び／又は材料を完全に貫通する一連の切れ目、並びにこれらの機能部の種々の組合せを含む。折り線を形成するのに切れ目付けが用いられる状況において、切れ目付けは通常、分別のあるユーザーが折り線を誤って引き裂き線とみなす可能性があるように過度には深くない。
【００４２】
上記実施形態は、カートンの実施形態を組み立てる間に接着剤によってともに接着される１つ以上のパネルを有するものとして説明することができる。「接着剤」という用語は、カートンパネルを適所に固定するのに一般的に用いられる全ての態様の接着剤を包含することが意図される。
【００４３】
本開示の前述の説明は、種々の実施形態を例示及び説明する。本開示の範囲から逸脱することなく、種々の変更を上記構成内でなし得るので、上記説明に含まれるか又は添付図面に示されている全ての事項が、限定的な意味ではなく例示として解釈されることが意図される。さらに、本開示の範囲は、上述の実施形態の種々の変更形態、組合せ、変形形態等をカバーする。加えて、本開示は、選択された実施形態のみを図示及び説明しているが、種々の他の組合せ、変更形態、及び環境が、本明細書で表されるように本開示の範囲内にあり、上記教示と同等であり、及び／又は関連技術分野の技術若しくは知識内にある。さらに、各実施形態の或る特定の機能部及び特徴を、選択的に入れ替えて、本開示の他の説明された実施形態及び説明されていない実施形態に適用することができる。
【図１】
2021521064.tif 000003
【図２】
2021521064.tif 000004
【図３】
2021521064.tif 000005
【図４】
2021521064.tif 000006
【図５】
2021521064.tif 000007
【図６】
2021521064.tif 000008
【図７】
2021521064.tif 000009
【図８】
2021521064.tif 000010
【図９】
2021521064.tif 000011
【図１０】
2021521064.tif 000012
【図１１】
2021521064.tif 000013
【図１２】
2021521064.tif 000014
【図１３】
2021521064.tif 000015
【手続補正書】
【提出日】令和2年12月8日(2020.12.8)
【手続補正１】
【補正対象書類名】明細書
【補正対象項目名】００１３
【補正方法】変更
【補正の内容】
【００１３】
図１は、本開示の１つの実施形態に係る、カートン５に付着された袋３を備える、全体として１で示される強化パッケージ（図３〜図６）を形成するブランク１０を示している。袋３は、開放した頂端部７（図４及び図５）と、閉鎖又はシールされた底端部９（図３及び図６）と、物体を収納及び／又は保持するための内部空間１７（図４及び図５）とを有する。１つの実施形態において、袋３は、袋の頂部７と底部９との間の部分に延在するシールされた側部１９（図４及び図５）を有する。いくつかの実施形態において、袋３の頂端部７は、シール又は閉鎖することができる。カートン５は、本明細書に更に記載されるように、パッケージ１の剛性を増大することによってパッケージ１を強化し、パッケージを図４〜図６の形成済み状態に係止する他の機能部を有する。カートン５は、パッケージ１を平坦形態で輸送し、パッケージ１を形成し、パッケージが袋３の内部空間１７に物体を収納することを可能にするように、パッケージ１を開放状態に保つのを容易にすることができる。さらに、カートン５は、パッケージ１を図４〜図６の直立位置に位置決めすることを可能にする支持機能部を有する。
【手続補正２】
【補正対象書類名】明細書
【補正対象項目名】００１８
【補正方法】変更
【補正の内容】
【００１８】
図１に示されているように、ブランク１０は、少なくともフロントパネル２１に延在するアクセス機能部５７を有することができる。図示の実施形態では、アクセス機能部５７は、フロントパネル２１におけるスコア線（切り込み線）６１、６３によって少なくとも部分的に画定されるアクセスパネル５９を含むことができる。１つの実施形態において、スコア線６１は、フロントパネル２１の内面に形成された内側スコア線とすることができ（スコア線６１は、図１に仮想線で示されている）、スコア線６３は、スコア線６１の周りに少なくとも部分的に延在することができ、フロントパネル２１の外面に形成された外側スコア線とすることができる。例えば、スコア線６１は、フロントパネルの内面からフロントパネル内に延在する部分切れ目とすることができ、スコア線６３は、フロントパネルの外面からフロントパネル２１内に延在する部分切れ目とすることができる。したがって、アクセスパネル５９は、スコア線６１、６３によって形成される弱化領域においてフロントパネル２１から分離可能とすることができる。アクセスフラップ６５は、線６７（例えば、引き裂き線、切れ目線、折り線等）に沿って、フロントパネル２１及び／又はアクセスパネル５９から少なくとも部分的に分離可能とすることができる。アクセスパネル５９は、物体を収納するためにアクセス機能部５７を開放するように、スコア線６１、６３に沿ってフロントパネル２１から分離可能とすることができる。図１に示されているように、アクセス機能部５７は、概ね、長径が横方向Ｌ１に延在する楕円形状である。アクセス機能部５７は、本開示から逸脱することなく、省いてもよく、又は、別様な配置、形状、位置、及び／又は構成としてもよい。アクセスパネル５９は、スコア線６１、６３とは異なる特徴によって形成することができる。スコア線６１及び／又はスコア線６３は、別様な形状、配置、構成としてもよく、及び／又は省いてもよい。または、アクセスパネル５９は、本開示から逸脱することなく、別様な形状としてもよい。例えば、アクセスパネル５９は、任意の好適な弱化線（例えば、引き裂き線）に沿ってフロントパネル２１から分離可能とすることができる。
【手続補正３】
【補正対象書類名】明細書
【補正対象項目名】００２７
【補正方法】変更
【補正の内容】
【００２７】
１つの実施形態において、サイドパネル２８における折り線５１、２６及びサイドパネル２９における折り線５３、２７は、形成されたパッケージ１の剛性を増大するのに役立つことができる。また、折り線２６、２７、３１、３３、３５、３７、５１、５３及びＶ字形折り線３２ａ、３２ｂ、３４ａ、３４ｂは、サイドパネル２８、２９が開放形状になり、開放状態を維持することを可能にするように構成することができる。換言すれば、第１のサイドパネル２８の折り線２６、３１、３３、５１及びＶ字形折り線３２ａ、３２ｂと、第２のサイドパネル２９の折り線２７、３５、３７及びＶ字形折り線３４ａ、３４ｂとは、パネル２８、２９を外方に押しカートン５を潰そうとする力に抵抗することにより、カートン５を拡張形態に保持するのに役立つ所定の形状に従って、サイドパネル２８、２９を変形させ、及び／又は内方に折り曲げるのに役立つことができる。図４〜図６に示されているように、サイドパネル２８、２９のそれぞれは、それぞれの縦折り線５１、５３並びにそれぞれのＶ字形折り線３２ａ、３２ｂ及び３４ａ、３４ｂから（例えば、カートン５の内部から離れるように）上方かつ外方に延在する上側部分を有することができる。したがって、サイドパネル２８、２９は、（例えば、少なくとも縦折り線５１、５２において）内方に曲がり、パッケージ１が一度形成されると起立形態に留まるように付勢するように、カートン５の構造を強化することができる。
【手続補正４】
【補正対象書類名】図面
【補正対象項目名】図７
【補正方法】変更
【補正の内容】
【図７】
2021521064.tif 000016
【国際調査報告】
2021521064.tif 000017
2021521064.tif 000018
2021521064.tif 000019